(57)【要約】【課題】入退室を所定の人に制限できるとともに、訪問者が容易に相手先を呼び出すことができる入退室管理システムを提供する。【解決手段】入退室管理システムは、インターホン付きカードリーダ９、複数の応答装置１１を備える。応答装置１１は、インターホン付きカードリーダ９に接続される。インターホン付きカードリーダ９は、所定の検出範囲に存在するＩＣタグから相手先情報を受信する。また、インターホン付きカードリーダ９は、呼び出し手段を備える。呼び出し手段は、ＩＣタグから相手先情報を受信すると、受信した相手先情報に基づいて、応答装置１１の１つを自動的に呼び出す。【選択図】図２
2013102335.tif 000002
【特許請求の範囲】
【請求項１】
所定の検出範囲に存在するＩＣタグから相手先情報を受信するインターホン付き認証装置と、
前記インターホン付き認証装置に接続された複数の応答装置と、
を備え、
前記インターホン付き認証装置は、
ＩＣタグから相手先情報を受信すると、受信した相手先情報に基づいて、前記応答装置の１つを自動的に呼び出す呼び出し手段と、
を備えた入退室管理システム。
【請求項２】
前記呼び出し手段は、複数のＩＣタグから同じ相手先情報を受信した場合に、その受信した相手先情報に基づいて、前記応答装置の１つを自動的に呼び出す請求項１に記載の入退室管理システム。
【請求項３】
所定場所への出入口を開閉するための扉と、
前記扉の近傍に設けられ、所定の検出範囲に存在するＩＣタグからＩＤ情報を受信するインターホン付き認証装置と、
前記インターホン付き認証装置に接続された複数の応答装置と、
を備え、
前記インターホン付き認証装置は、
受信したＩＤ情報が所定の既登録情報に一致すると、前記扉の電子錠を解錠する解錠手段と、
受信したＩＤ情報が前記既登録情報に一致しない場合に、そのＩＤ情報から特定される相手先情報に基づいて、前記応答装置の１つを自動的に呼び出す呼び出し手段と、
を備えた入退室管理システム。
【請求項４】
所定の検出範囲に存在するＩＣタグから相手先情報を受信するインターホン付き認証装置と、
前記インターホン付き認証装置に接続された複数の応答装置と、
を備え、
前記インターホン付き認証装置は、
表示器と、
ＩＣタグから相手先情報を受信すると、受信した相手先情報を、前記表示器に表示させる表示制御手段と、
を備えた入退室管理システム。
【請求項５】
前記表示制御手段は、複数のＩＣタグから同じ相手先情報を受信した場合に、その受信した相手先情報を、前記表示器に表示させる請求項４に記載の入退室管理システム。
【請求項６】
所定場所への出入口を開閉するための扉と、
前記扉の近傍に設けられ、所定の検出範囲に存在するＩＣタグからＩＤ情報を受信するインターホン付き認証装置と、
前記インターホン付き認証装置に接続された複数の応答装置と、
を備え、
前記インターホン付き認証装置は、
表示器と、
受信したＩＤ情報が所定の既登録情報に一致すると、前記扉の電子錠を解錠する解錠手段と、
受信したＩＤ情報が前記既登録情報に一致しない場合に、そのＩＤ情報から特定される相手先情報を、前記表示器に表示させる表示制御手段と、
を備えた入退室管理システム。
【請求項７】
所定場所への出入口を開閉するための扉と、
前記扉の近傍に設けられ、所定の検出範囲に存在するＩＣタグからＩＤ情報を受信するインターホン付き認証装置と、
前記インターホン付き認証装置に接続された複数の応答装置と、
を備え、
前記インターホン付き認証装置は、
表示器と、
受信したＩＤ情報が所定の既登録情報に一致すると、前記扉の電子錠を解錠する解錠手段と、
通常時は、所定の順番で相手先情報を前記表示器に表示させるとともに、受信したＩＤ情報が前記既登録情報に一致しない場合に、ＩＤ情報と共に受信した所定の情報に基づいて、前記表示器に表示させる相手先情報の順番を変更させる表示制御手段と、
を備えた入退室管理システム。
【発明の詳細な説明】
【技術分野】
【０００１】
この発明は、入退室を所定の人に制限するための入退室管理システムに関するものである。
【背景技術】
【０００２】
入退室を所定の人に制限する部屋や建物では、出入口に認証装置を設置している。社員等、通行（入退室）を許可された人は、その出入口を通過する際に、ＩＣタグ等によって認証を行い、電子錠を解錠する。
一方、訪問者は、出入口の近傍に設置されたインターホン等を使用して内部の人に連絡を取る。連絡を受けた内部の人は、例えば、画像によって相手（訪問者）を確認し、電子錠を解錠するといった対応を行う。
【０００３】
例えば、特許文献１には、出入口の近傍に設置されたインターホンを操作することにより、訪問者側から相手先の社員を指定できるシステムが提案されている。
【先行技術文献】
【特許文献】
【０００４】
【特許文献１】特開２００５−１２３９２０号公報
【発明の概要】
【発明が解決しようとする課題】
【０００５】
従来の入退室管理システムでは、訪問者は、インターホンを操作することにより、多くの呼び出し先から、訪問する相手先を探し出さなければならなかった。このため、操作が煩雑になり、特に、両手が荷物で塞がっている場合等には、ボタンを何回も押すといった操作が困難になるといった問題があった。
【０００６】
この発明は、上述のような課題を解決するためになされたもので、その目的は、入退室を所定の人に制限できるとともに、訪問者が容易に相手先を呼び出すことができる入退室管理システムを提供することである。
【課題を解決するための手段】
【０００７】
この発明に係る入退室管理システムは、所定の検出範囲に存在するＩＣタグから相手先情報を受信するインターホン付き認証装置と、インターホン付き認証装置に接続された複数の応答装置と、を備え、インターホン付き認証装置は、ＩＣタグから相手先情報を受信すると、受信した相手先情報に基づいて、応答装置の１つを自動的に呼び出す呼び出し手段と、を備えたものである。
【０００８】
また、この発明に係る入退室管理システムは、所定場所への出入口を開閉するための扉と、扉の近傍に設けられ、所定の検出範囲に存在するＩＣタグからＩＤ情報を受信するインターホン付き認証装置と、インターホン付き認証装置に接続された複数の応答装置と、を備え、インターホン付き認証装置は、受信したＩＤ情報が所定の既登録情報に一致すると、扉の電子錠を解錠する解錠手段と、受信したＩＤ情報が既登録情報に一致しない場合に、そのＩＤ情報から特定される相手先情報に基づいて、応答装置の１つを自動的に呼び出す呼び出し手段と、を備えたものである。
【０００９】
また、この発明に係る入退室管理システムは、所定の検出範囲に存在するＩＣタグから相手先情報を受信するインターホン付き認証装置と、インターホン付き認証装置に接続された複数の応答装置と、を備え、インターホン付き認証装置は、表示器と、ＩＣタグから相手先情報を受信すると、受信した相手先情報を、表示器に表示させる表示制御手段と、を備えたものである。
【００１０】
また、この発明に係る入退室管理システムは、所定場所への出入口を開閉するための扉と、扉の近傍に設けられ、所定の検出範囲に存在するＩＣタグからＩＤ情報を受信するインターホン付き認証装置と、インターホン付き認証装置に接続された複数の応答装置と、を備え、インターホン付き認証装置は、表示器と、受信したＩＤ情報が所定の既登録情報に一致すると、扉の電子錠を解錠する解錠手段と、受信したＩＤ情報が既登録情報に一致しない場合に、そのＩＤ情報から特定される相手先情報を、表示器に表示させる表示制御手段と、を備えたものである。
【００１１】
また、この発明に係る入退室管理システムは、所定場所への出入口を開閉するための扉と、扉の近傍に設けられ、所定の検出範囲に存在するＩＣタグからＩＤ情報を受信するインターホン付き認証装置と、インターホン付き認証装置に接続された複数の応答装置と、を備え、インターホン付き認証装置は、表示器と、受信したＩＤ情報が所定の既登録情報に一致すると、扉の電子錠を解錠する解錠手段と、通常時は、所定の順番で相手先情報を表示器に表示させるとともに、受信したＩＤ情報が既登録情報に一致しない場合に、ＩＤ情報と共に受信した所定の情報に基づいて、表示器に表示させる相手先情報の順番を変更させる表示制御手段と、を備えたものである。
【発明の効果】
【００１２】
この発明に係る入退室管理システムであれば、入退室を所定の人に制限できるとともに、訪問者が容易に相手先を呼び出すことができるようになる。
【図面の簡単な説明】
【００１３】
【図１】この発明の実施の形態１における入退室管理システムの構成を説明するための図である。
【図２】この発明の実施の形態１における入退室管理システムの構成を説明するための図である。
【図３】この発明の実施の形態１における入退室管理システムの機能を説明するための図である。
【図４】この発明の実施の形態１における入退室管理システムの他の機能を説明するための図である。
【図５】インターホン付きカードリーダの表示器の表示例を示す図である。
【図６】インターホン付きカードリーダの表示器の他の表示例を示す図である。
【図７】インターホン付きカードリーダの表示器の他の表示例を示す図である。
【図８】インターホン付きカードリーダの表示器の他の表示例を示す図である。
【図９】この発明の実施の形態２における入退室管理システムの動作を示すフローチャートである。
【発明を実施するための形態】
【００１４】
添付の図面を参照して、本発明を詳細に説明する。各図において、同一又は相当する部分には、同一の符号を付している。重複する説明については、適宜簡略化或いは省略している。
【００１５】
実施の形態１．
本発明に係る入退室管理システムには、インターホン付き認証装置が備えられている。以下においては、インターホン付き認証装置として、インターホン付きカードリーダが採用されている場合を例に、具体的な説明を行う。
【００１６】
図１及び図２はこの発明の実施の形態１における入退室管理システムの構成を説明するための図である。
図１及び図２において、１及び２は入退室が所定の人（例えば、社員等）に制限されている部屋である。３は部屋１の出入口を開閉するための扉、４は部屋２の出入口を開閉するための扉である。扉３及び４は、通常時、電子錠（図示せず）によって施錠されている。
【００１７】
５は扉３の近傍に設置されたカードリーダ、６は扉４の近傍に設置されたカードリーダである。カードリーダ５及び６は、所定の検出範囲に存在するＩＣタグ（非接触式ＩＣカード等も含む）から、ＩＤ情報を受信する。カードリーダ５及び６は、ＩＤ情報を受信すると、受信したＩＤ情報が予め登録されている情報（例えば、社員等に割り当てられているＩＤ情報）に一致するか否かを判定し、一致すれば（認証が成功すれば）、解錠手段（図示せず）によって、対応の扉３及び４の電子錠を解錠する。
【００１８】
部屋１及び２は、フロア７に設けられている。フロア７も、入退室（出入口の通過）が所定の人に制限された場所である。８はフロア７の出入口を開閉するための扉である。扉８は、通常時、電子錠（図示せず）によって施錠されている。９は扉８の近傍に設置されたインターホン付きカードリーダである。カードリーダ５及び６とインターホン付きカードリーダ９とは、それぞれが管理装置１０に接続されている。
【００１９】
インターホン付きカードリーダ９は、所定の検出範囲に存在するＩＣタグから、ＩＤ情報を受信する。インターホン付きカードリーダ９は、ＩＤ情報を受信すると、受信したＩＤ情報が予め登録されている情報に一致するか否かを判定し、一致すれば、解錠手段（図示せず）によって扉８の電子錠を解錠する。このため、社員等、フロア７に入ることが許可されている人は、自分のＩＣタグを携帯してインターホン付きカードリーダ９に接近すれば、入退室許可者と認証され、フロア７に入室することができる。
【００２０】
インターホン付きカードリーダ９には、インターホン機能が備えられている。インターホン付きカードリーダ９は、呼び先となる複数の応答装置１１に接続されている。応答装置１１（呼び先）は、例えば、それぞれの部屋１及び２に設置される。訪問者は、インターホン付きカードリーダ９から所望の応答装置１１を呼び出し、部屋１及び２にいる人と通話することができる。呼び出された内部の人（社員等）は、応答装置１１に表示される画像等から訪問者を確認すると、管理装置１０に対して解錠信号を送信する。管理装置１０は、応答装置１１から解錠信号を受信すると、扉８の電子錠を解錠して、訪問者の入室を許可する。
【００２１】
次に、図３も参照して、インターホン付きカードリーダ９から所望の応答装置１１を呼び出す機能について具体的に説明する。図３はこの発明の実施の形態１における入退室管理システムの機能を説明するための図であり、インターホン付きカードリーダ９のインターホン機能を示している。
【００２２】
インターホン付きカードリーダ９は、情報を表示するための表示器１２と、情報を入力するボタン等の入力手段１３とを備えている。また、インターホン付きカードリーダ９は、その内部の機能として、上記解錠手段と、呼び出し手段とを備えている。呼び出し手段は、インターホン付きカードリーダ９に接続されている複数の応答装置１１の中から、最適な１つの応答装置１１を自動的に呼び出す機能を有している。
【００２３】
訪問者は、訪問者用のＩＣタグを所持している。訪問者用のＩＣタグには、そのＩＣタグを特定するためのＩＤ情報と、訪問者が呼び出したい応答装置１１（或いは、相手先）の情報（相手先情報）とが予め登録されている。訪問者が訪問者用のＩＣタグを携帯してインターホン付きカードリーダ９に接近すると、インターホン付きカードリーダ９が、訪問者用のＩＣタグからＩＤ情報と相手先情報とを読み取る。訪問者用のＩＣタグからＩＤ情報を受信した場合、インターホン付きカードリーダ９は、受信したＩＤ情報が、予め登録されている情報（例えば、社員等に割り当てられているＩＤ情報）に一致しない旨を判定する。
【００２４】
受信したＩＤ情報が、既登録情報（フロア７への入室を許可された人のＩＤ情報）に一致しなければ、解錠手段は、扉８の電子錠を解錠しない。また、受信したＩＤ情報が、既登録情報に一致しない場合（或いは、フロア７への入室を許可された人のＩＤ情報には一致しないが、訪問者用のＩＤ情報に一致する場合）、呼び出し手段は、ＩＤ情報と共に受信した相手先情報に基づいて、応答装置１１の１つを自動的に呼び出す。例えば、ＩＤ情報と共に「呼び先１」からなる相手先情報を受信した場合、呼び出し手段は、「呼び先１」に対応する応答装置１１を自動的に呼び出す。
【００２５】
このため、訪問者は、ハンズフリーの状態で部屋１や２にいる社員等を呼び出し、通話することができる。また、インターホン操作を必要としないため、操作ミスが生じることがなく、利便性が大幅に向上する。
【００２６】
図４はこの発明の実施の形態１における入退室管理システムの他の機能を説明するための図であり、インターホン付きカードリーダ９のインターホン機能を示している。
【００２７】
図３に示すインターホン付きカードリーダ９では、１つの訪問者用のＩＣタグからＩＤ情報を受信した場合に、そのＩＤ情報と共に受信した相手先情報に基づいて、呼び出す応答装置１１を決定した。一方、図４に示すインターホン付きカードリーダ９では、同じ相手先情報が登録された複数の訪問者用のＩＣタグからＩＤ情報を受信した場合に、呼び出し手段が、その受信した共通の相手先情報に基づいて、応答装置１１の１つを自動的に呼び出す。かかる構成であれば、訪問者が訪問する可能性が極めて高い相手先を、自動的に呼び出すことができる。
【００２８】
実施の形態２．
実施の形態１では、訪問者にインターホン操作を要求することなく、相手先を呼び出す場合の構成について説明した。本実施の形態では、訪問者に要求するインターホン操作を軽減させるための構成について説明する。
【００２９】
本実施の形態におけるインターホン付きカードリーダ９の内部には、解錠手段、呼び出し手段に加え、表示制御手段（図示せず）が備えられている。表示制御手段は、表示器１２の表示内容を制御する機能を有している。入退室管理システムの全体構成は、図１及び図２に示すものと同様である。
【００３０】
訪問者は、訪問者用のＩＣタグを所持している。訪問者用のＩＣタグには、そのＩＣタグを特定するためのＩＤ情報と、訪問者が呼び出したい応答装置１１（或いは、相手先）の情報（相手先情報）とが予め登録されている。例えば、訪問者用のＩＣタグには、複数の相手先情報が登録されている。
【００３１】
訪問者が訪問者用のＩＣタグを携帯してインターホン付きカードリーダ９に接近すると、インターホン付きカードリーダ９が、訪問者用のＩＣタグからＩＤ情報と相手先情報とを読み取る。インターホン付きカードリーダ９は、受信したＩＤ情報が、予め登録されている情報（例えば、社員等に割り当てられているＩＤ情報）に一致するか否かを判定する。受信したＩＤ情報が、既登録情報（フロア７への入室を許可された人のＩＤ情報）に一致すれば、解錠手段が、扉８の電子錠を解錠する。
【００３２】
一方、受信したＩＤ情報が、既登録情報に一致しない場合（或いは、フロア７への入室を許可された人のＩＤ情報には一致しないが、訪問者用のＩＤ情報に一致する場合）、表示制御手段は、ＩＤ情報と共に受信した相手先情報に基づいて、表示器１２の表示内容を制御する。例えば、ＩＤ情報と共に複数の相手先情報を受信した場合、表示制御手段は、受信した全ての相手先情報を表示器１２に表示させる。
【００３３】
図５はインターホン付きカードリーダの表示器の表示例を示す図である。図５（ａ）は、インターホン付きカードリーダ９が訪問者用のＩＣタグからＩＤ情報を受信していない時の表示器１２の表示内容を示している。通常時、表示制御手段は、フロア７にある全ての呼び先を表示器１２に表示する。
【００３４】
図５（ｂ）は、インターホン付きカードリーダ９が訪問者用のＩＣタグからＩＤ情報を受信した時の表示器１２の表示内容を示している。即ち、図５（ｂ）は、訪問者用のＩＣタグに、「呼び先３」、「呼び先１１」の２つの相手先情報が登録されている時の表示例である。訪問者は、例えば、表示器１２の「呼び先３」の表示部分に触れることにより、「呼び先３」に対応する応答装置１１を呼び出すことができる。
【００３５】
上記構成を備えたインターホン付きカードリーダ９であれば、表示器１２に表示する呼び先を適切に絞り込むことができ、訪問者が行うインターホン操作を大幅に軽減させることができる。このため、訪問者の操作ミスが減少し、利便性を向上させることができる。
【００３６】
次に、図６乃至図８を参照し、表示制御手段の他の機能について説明する。図６乃至図８は、インターホン付きカードリーダの表示器の他の表示例を示す図である。
【００３７】
表示制御手段は、同じ相手先情報が登録された複数の訪問者用のＩＣタグからＩＤ情報を受信した場合は、その共通する相手先情報に基づいて、表示器１２の表示制御を行っても良い。
【００３８】
図６は、表示制御手段のかかる機能を示している。例えば、インターホン付きカードリーダ９の検出範囲に２つの訪問者用のＩＣタグが存在する場合を考える。図６に示すように、インターホン付きカードリーダ９は、一方のＩＣタグから「呼び先１」、「呼び先２」、「呼び先３」の相手先情報を受信する。また、インターホン付きカードリーダ９は、他方のＩＣタグから「呼び先１」、「呼び先３」、「呼び先４」の相手先情報を受信する。かかる場合、表示制御手段は、上記２つのＩＣタグに共通する呼び先、即ち、「呼び先１」、「呼び先３」のみを表示器１２に表示させる。
このような構成を採用することにより、訪問者が訪問する可能性が極めて高い相手先の呼び先のみを、表示器１２に表示させることができる。
【００３９】
表示制御手段は、ＩＤ情報と共に受信した情報に基づいて、表示器１２に表示する呼び先の順番を変更しても良い。
【００４０】
図７は、表示制御手段のかかる機能を示している。図７（ａ）は、インターホン付きカードリーダ９が訪問者用のＩＣタグからＩＤ情報を受信していない時の表示器１２の表示内容を示している。通常時、表示器１２には、フロア７にある全ての呼び先が所定の順序で表示される。
【００４１】
図７（ｂ）は、インターホン付きカードリーダ９が訪問者用のＩＣタグからＩＤ情報を受信した時の表示器１２の表示内容を示している。表示制御手段は、インターホン付きカードリーダ９が訪問者用のＩＣタグからＩＤ情報を受信した場合（即ち、受信したＩＤ情報が、既登録情報（フロア７への入室を許可された人のＩＤ情報）に一致しない場合）、ＩＤ情報と共に受信した所定の情報に基づいて、表示器１２の表示内容を変更する。例えば、表示制御手段は、上記所定の情報に基づいて呼び先の表示順を変更し、訪問者が訪問する可能性が高い順に呼び先が表示されるようにする。かかる場合、訪問者用のＩＣタグには、表示の順番を決定するための優先度等が予め登録されている。
【００４２】
表示器１２に表示される呼び先が多数存在する場合、訪問者は、入力手段１３を操作することによって画面をスクロールさせたり、画面の表示を切り替えたりしなければならない、上記構成のインターホン付きカードリーダ９であれば、訪問者が訪問する可能性が高い呼び先を優先的に上位に表示することができるため、呼び出しに必要な操作を大幅に軽減させることができる。
【００４３】
図５に示す例では、インターホン付きカードリーダ９が訪問者用のＩＣタグからＩＤ情報を受信した時に、それまで表示器１２に表示されていた呼び先の一部を削除して、特定の呼び先のみを表示器１２に表示させた。一方、表示制御手段は、訪問者用のＩＣタグからＩＤ情報を受信した時に、それまで表示器１２に表示されていた呼び先以外の呼び先を、表示器１２に新規に表示させるようにしても良い。
【００４４】
図８は、表示制御手段のかかる機能を示している。図８（ａ）は、インターホン付きカードリーダ９が訪問者用のＩＣタグからＩＤ情報を受信していない時の表示器１２の表示内容を示している。通常時、表示器１２には、フロア７にある多数の呼び先が表示される。
【００４５】
図８（ｂ）は、インターホン付きカードリーダ９が訪問者用のＩＣタグからＩＤ情報を受信した時の表示器１２の表示内容を示している。表示制御手段は、インターホン付きカードリーダ９が訪問者用のＩＣタグからＩＤ情報を受信した場合、ＩＤ情報と共に受信した相手先情報に基づいて表示器１２の表示内容を変更し、通常時には表示させない特別な呼び先を、表示器１２に表示させる。
【００４６】
最後に、図９を参照し、上記構成を有するインターホン付きカードリーダ９の動作例について説明する。図９はこの発明の実施の形態２における入退室管理システムの動作を示すフローチャートである。
【００４７】
インターホン付きカードリーダ９では、定期的に、ＩＣタグの読み取りを行ったか否かを判定する（Ｓ１０１）。インターホン付きカードリーダ９の検出範囲にＩＣタグが存在すれば、そのＩＣタグに登録されている情報（ＩＤ情報等）が、インターホン付きカードリーダ９に読み取られる（Ｓ１０１のＹｅｓ）。
【００４８】
インターホン付きカードリーダ９では、ＩＣタグからＩＤ情報を読み取ると、読み取ったＩＤ情報の認証を行う。読み取ったＩＤ情報が、フロア７への入室が許可されている既登録のＩＤ情報に一致する場合、解錠手段が、扉８の電子錠を解錠する。一方、読み取ったＩＤ情報が、上記既登録のＩＤ情報に一致しない場合、インターホン付きカードリーダ９は、その読み取ったＩＤ情報を有するＩＣタグが訪問者用であると認定する。かかる場合、インターホン付きカードリーダ９は、ＩＤ情報を読み取ったＩＣタグに、自動呼出しの設定がなされているか否かを判定する（Ｓ１０２）。
【００４９】
ＩＣタグに自動呼出しの設定がある場合（Ｓ１０２のＹｅｓ）、呼び出し手段が、その設定内容（即ち、ＩＤ情報と共に読み取った相手先情報）に基づいて、応答装置１１の呼び出しを行う（Ｓ１０３）。これにより、所定の応答装置１１において呼び出しが行われ、訪問者は、部屋１又は２にいる社員等と通話することができる（Ｓ１０４）。
【００５０】
ＩＣタグに自動呼出しの設定がない場合（Ｓ１０２のＮｏ）、インターホン付きカードリーダ９は、次に、ＩＤ情報を読み取ったＩＣタグに、呼び先の登録がなされているか否かを判定する（Ｓ１０５）。ＩＣタグに呼び先の登録がない場合（Ｓ１０５のＮｏ）、表示制御手段は、表示器１２に、呼び先の登録がない場合の呼び先表示を行う（Ｓ１０６）。これにより、表示器１２には、例えば、図５（ａ）や図７（ａ）に示す内容が表示される。
【００５１】
ＩＣタグに呼び先の登録がある場合（Ｓ１０５のＹｅｓ）、表示制御手段は、表示器１２に、呼び先の登録がある場合の呼び先表示を行う（Ｓ１０７）。これにより、表示器１２には、例えば、図５（ｂ）や図６（ｂ）、図７（ｂ）、図８（ｂ）に示す内容が表示される。
【００５２】
その後、訪問者は、表示器１２の表示内容を見て呼び出し操作を行う（Ｓ１０８）。訪問者によって呼び出し操作が行われると、インターホン付きカードリーダ９は、応答装置１１の呼び出しを行う（Ｓ１０３）。これにより、訪問者が選択した応答装置１１において呼び出しが行われ、訪問者は、部屋１又は２にいる社員等と通話することができる（Ｓ１０４）。
【００５３】
上記各実施の形態では、訪問者用のＩＣタグに、相手先情報を予め登録する場合について説明した。しかし、これは一例を示すものであり、相手先情報は、例えば、管理装置１０に登録しておいても良い。かかる場合、管理装置１０には、ＩＤ情報に関連付けて相手先情報（或いは、複数の相手先情報）が登録される。読み取ったＩＤ情報が、フロア７への入室が許可されている既登録のＩＤ情報に一致しない場合（或いは、訪問者用として登録されたＩＤ情報と一致する場合）、インターホン付きカードリーダ９は、管理装置１０に、そのＩＤ情報に対応する相手先情報が存在するか否かを問い合わせる。そして、管理装置１０に相手先情報が登録されていれば、インターホン付きカードリーダ９は、その相手先情報を取得して必要な処理を行う。
かかる構成によっても、上記と同様の効果を奏することができる。
【００５４】
なお、本制御システムでは、インターホン付きカードリーダ９がＩＣタグからＩＤ情報を受信している。このため、本制御システムは、入退室管理に関する他の機器と連携することにより、読み取ったＩＤ情報を利用して、特定の他の部屋への入室許可を与えるといった種々の制御に応用することも可能である。
【符号の説明】
【００５５】
１、２  部屋
３、４、８  扉
５、６  カードリーダ
７  フロア
９  インターホン付きカードリーダ
１０  管理装置
１１  応答装置
１２  表示器
１３  入力手段
【図１】
2013102335.tif 000003
【図２】
2013102335.tif 000004
【図３】
2013102335.tif 000005
【図４】
2013102335.tif 000006
【図５】
2013102335.tif 000007
【図６】
2013102335.tif 000008
【図７】
2013102335.tif 000009
【図８】
2013102335.tif 000010
【図９】
2013102335.tif 000011